(57)【要約】      （修正有）【課題】二重のドアロックが可能で、取付けが容易かつ使い勝手を向上させたドアロック装置を提供する。【解決手段】ロックボルト６９と、ロックボルト駆動部６７と、無線受信回路を含む制御部６８と、バッテリ６６とを含んで構成される電子錠本体６０と、電子錠本体をドアガードに装着する取付金具７５が備えられ、取付金具は、取付板と、取付板の背面に固定された上台座及び下台座と、台座間を連結する補助板と、上台座のネジ孔に通されたノブ付き固定ボルトと、ノブ付き固定ボルトの下端に設けられる押圧体からなり、ドアガードの係合アーム９１または内開きドア用の係合突起が取付板と補助板の間及び押圧体と下台座の間に入るように取付金具を挿入し、ノブ付き固定ボルトを回転して押圧体を押し下げることによって、取付金具をドアガードに固定する。【選択図】図４
2007284975.tif 000002
【特許請求の範囲】
【請求項１】
ロックボルトと、ロックボルト駆動部と、無線受信回路を含む制御部と、バッテリとを含んで構成される電子錠本体と、
前記電子錠本体をドアガードに装着する取付金具が備えられ、
前記取付金具は、取付板と、前記取付板の背面に固定された上台座及び下台座と、前記台座間を連結する補助板と、前記上台座のネジ孔に通されたノブ付き固定ボルトと、前記ノブ付き固定ボルトの下端に設けられる押圧体からなり、
ドアガードの係合アームまたは内開きドア用の係合突起が前記取付板と前記補助板の間及び前記押圧体と前記下台座の間に入るように前記取付金具を挿入し、前記ノブ付き固定ボルトを回転して前記押圧体を押し下げることによって、前記取付金具を前記ドアガードに固定することを特徴とするドアロック装置。
【請求項２】
前記取付板には、前記２つの台座の取付け位置を左右方向に調整可能な上部スリット及び下部スリットと、前記電子錠本体をスライド可能に装着する上部レール及び下部レールが設けられていることを特徴とする請求項１に記載のドアロック装置。
【請求項３】
前記上台座と前記下台座に連結され、前記押圧体を貫通するガイド捧が設けられることを特徴とする請求項１に記載のドアロック装置。
【請求項４】
前記係合アームに取り付けられるコ字型板金部材と、
前記コ字型板金部材を前記係合アームに固定するとともに前記電子錠本体のロックボルトに当接させて内開きドアの動きを止めるストッパボルトと、
一端に前記係合アームの先端内側に接する係止部を有し、他端が前記コ字型板金部材にネジ着される脱落防止ボルトと、
一端がドア受け側に当接され、他端が前記コ字型板金部材にネジ着される回動抑止ボルトとを備える停止金具が、さらに提供されることを特徴とする請求項１に記載のドアロック装置。
【請求項５】
前記制御部は、火災センサまたは地震センサから発せられた感知信号を受けると、前記ロックボルト駆動部を駆動し、前記ロックボルトを引き戻すことを特徴とする請求項１に記載のドアロック装置。
【請求項６】
前記制御部は、生体認証装置から本人認証信号を受けると、前記ロックボルト駆動部を駆動して前記ロックボルトを引き戻すことを特徴とする請求項１に記載のドアロック装置。
【発明の詳細な説明】
【技術分野】
【０００１】
本発明は、ドアの主錠と合わせて二重のロックが可能で、取付けが容易でかつ使い勝手を向上させたドアロック装置に関する。
【背景技術】
【０００２】
特許文献１に示されるように、ドアの錠をリモートコントロールキー（リモコンキー）で開錠または施錠することが知られており、利便性を追求した主錠をドアに組み込むことが可能になっている。一方、既存のアパートやマンションでは、ドアを二重に施錠して、より安全にすることが求められている。さらに、このような二重施錠を可能にするドアロック装置は、工事が不要で取付けが簡単であることが要求されている。ドライバを使っての多数のネジ着をなくし、手で取り付けできることが望まれている。
【０００３】
リモコンキーと電子錠で構成した二重施錠用のドアロック装置は、リモンキーからのオンまたはオフ指示で施錠または解錠ができるが、これだけでは不十分である。例えば、当人が施錠して外出した間に火災となり、消防車が駆けつけて消火隊員が部屋に入ろうとする場合、主錠は管理人が管理するするキーで解錠できるが、二重施錠用のドアロック装置のキーは個人管理であり解錠できない。そのため消火が遅れるおそれがある。また別の例では、地震があり、当人がタンスの下敷きとなって動けず、駆けつけた救助隊員が部屋に入ろうとする場合、主錠は管理人が管理するキーで解錠できるが、二重施錠用のドアロック装置のキーは、当人が動けないためマニアルによる解錠ができない。そのため、一刻を争う救助が遅れるおそれがある。このように、ドアロック装置の解錠に対して更なる配慮が求められている。
【特許文献１】特開平１−１９２９７９号公報
【発明の開示】
【発明が解決しようとする課題】
【０００４】
本発明の目的は、取付けが容易で、使い勝手が良い二重施錠用のドアロック装置を提供することにある。
【課題を解決するための手段】
【０００５】
上記の目的を達成するため、本発明によるドアロック装置は、ロックボルトと、ロックボルト駆動部と、無線受信回路を含む制御部と、バッテリとを含んで構成される電子錠本体と、前記電子錠本体をドアガードに装着する取付金具が備えられ、前記取付金具は、取付板と、前記取付板の背面に固定された上台座及び下台座と、前記台座間を連結する補助板と、前記上台座のネジ孔に通されたノブ付き固定ボルトと、前記ノブ付き固定ボルトの下端に設けられる押圧体からなり、ドアガードの係合アームまたは内開きドア用の係合突起が前記取付板と前記補助板の間及び前記押圧体と前記下台座の間に入るように前記取付金具を挿入し、前記ノブ付き固定ボルトを回転して前記押圧体を押し下げることによって、前記取付金具を前記ドアガードに固定することを特徴とする。
【０００６】
前記取付板には、前記２つの台座の取付け位置を左右方向に調整可能な上部スリット及び下部スリットと、前記電子錠本体をスライド可能に装着する上部レール及び下部レールが設けられていることが好ましい。
【０００７】
前記上台座と前記下台座に連結され、前記押圧体を貫通するガイド捧が設けられることが好ましい。
【０００８】
前記係合アームに取り付けられるコ字型板金部材と、前記コ字型板金部材を前記係合アームに固定するとともに前記電子錠本体のロックボルトに当接させて内開きドアの動きを止めるストッパボルトと、一端に前記係合アームの先端内側に接する係止部を有し、他端が前記コ字型板金部材にネジ着される脱落防止ボルトと、一端がドア受け側に当接され、他端が前記コ字型板金部材にネジ着される回動抑止ボルトとを備える停止金具が、さらに提供されることが好ましい。
【０００９】
前記制御部は、火災センサまたは地震センサから発せられた感知信号を受けると、前記ロックボルト駆動部を駆動して前記ロックボルトを引き戻すことが好ましい。
【００１０】
前記制御部は、生体認証装置から本人認証信号を受けると、前記ロックボルト駆動部を駆動して前記ロックボルトを引き戻すことが好ましい。
【発明の効果】
【００１１】
本発明による請求項１のドアロック装置によれば、ドアガードの係合アームまたは内開きドア用の係合突起を、本装置の取付板と補助板の間及び押圧体と下台座の間に差し込んで、手で固定ボルトのノブを回すことにより、取付金具を簡単に固定することができる。ドライバなどは必要ない。このため、ドアロック装置のドアガードへの取付けが容易である。
【００１２】
本発明の請求項２によれば、取付板に設けられた上下のスリットは、台座の位置を左右方向に調整することができる。例えば、係合アームの根元の傾斜面を避けて平坦面に押圧体が位置するように、台座の位置をずらすことができる。上下のレールは、電子錠本体をスライドして取付板に装着することができる。例えば、ロックボルトの施錠と解錠の位置が適切でない場合、電子錠本体をスライドさせて左右の位置を調整できる。このような調整にはネジを回すドライバが必要である。しかし、標準的なドアガードに合わせて台座等の位置等は、あらかじめ調整されているので、ドライバを使う場合は、限られた場合のみとすることができる。
【００１３】
本発明の請求項３によれば、ガイド捧があると、固定ボルトのノブを回して押圧体を係合アームまたは内開きドア用の係合突起に固定する時、押圧体が真っ直ぐに下降して回転しないから、確実な固定ができる。
【００１４】
本発明の請求項４によれば、内開きドア時、係合アームに取り付ける必要がある停止金具が、ストッパボルトの頭部を手で回すことにより、簡単に取り付けできる。ドライバなどは必要ない。ストッパボルトの頭に電子錠本体のロックボルトを当接させるので、専用の当接部材を不要とした。なお、脱落防止ボルトを回せば、係止部を係合アームの内側に係止できるから、無理にドアを開けようとしてもコ字型板金部材が係合アームから脱落して外れないようにできる。回動抑止ボルトを回せば、コ字型板金部材を突っ張るようにできるから、係合アームが回動せず、ドア受けに立設した状態を保つようにできる。
【００１５】
本発明の請求項５によれば、火災センサまたは地震センサの感知信号でロックボルトが引き戻され、解錠されるようにしたから、例えば、消防隊員が部屋に入れないということがない。また、当人が部屋にいて動けない場合であっても、救助隊員が部屋に入ることができる。なお、ドアロック装置が解錠されても主錠は施錠されているから、セキュリティは確保できる。
【００１６】
本発明の請求項６によれば、生体認証装置からの本人認証信号を受けてロックボルトが引き戻され、解錠されるようにしたから、リモコンキーによって解錠と施錠を行なう場合に比較して、便利であり、また、リモコンキーの紛失や盗難の心配がない。
【発明を実施するための最良の形態】
【００１７】
以下、図面を参照して本発明によるドアロック装置を説明する。なお、ドアにはドアガードが取り付けられているものとする。図８に示すように、ドアガード９０は、部屋の内側から操作し、ドアが解錠されていてもドアを半開きにする機構で、係合アーム９１と外開きドア用の係合突起９２と内開きドア用の係合突起９３からなる。
【００１８】
図９は、外開きドアにドアガードが取り付けられた場合の平面図である。係合アーム９１は外開きドア２０の内側に取り付けられる。外開きドア用の係合突起９２はドア受け２１に取り付けられる。係合アームを図面下側に立てると、外開きドア用の係合突起９２の先端が係合アーム９１と係合する。その状態で外開きドア２０が開かれると、外開きドア用の係合突起９２は係合アーム９１の先端に向かってスライドし停止する。そのため外開きドア２０は少ししか開かない。係合アーム９１を立てずに倒したままの状態では、ドアガードは作動しない。外開きドアは、アパート／マンションなどに多い。
【００１９】
図１０は、内開きドアにドアガードが取り付けられた場合の平面図である。係合アーム９１はドア受け２１側に取り付けられる。内開きドア用の係合突起９３は内開きドア２２の内側に取り付けられる。係合アーム９１を図面右側に倒すと、内開きドア用の係合突起９３の先端が係合アーム９１と係合する。この状態で内開きドア２２が開かれると、内開きドア用の係合突起９３は係合アーム９１の先端に向かってスライドし停止する。そのため内開きドア２２は少ししか開かない。係合アーム９１を倒さず立てたままの状態は、ドアガードが作動しない。
【実施例１】
【００２０】
図１は本発明によるドアロック装置の取付金具が、外開きドアのドアガードに装着された場合の斜視図である。外開きドア２０の内側にドアガードの係合アーム９１が設けられている。ドアガードの係合突起９２は、ドア受け２１に取り付けられている。取付金具７５は、ドアロック装置を構成する部品で、板状の取付板２と、取付板２の背面（後方）に取り付けられる上台座３及び下台座５と、台座間を連結する補助板６と、上台座３のネジ孔に挿入され一端に押圧体４を有するノブ付き固定ボルト１を含んで構成される。図１に示すように、取付板２と補助板６の間に係合アーム９１を差し込んで、ノブ付き固定ボルト１のノブ１１を回し、固定ボルト１の一端に装着された押圧体４を下降させて、押圧体４と下台座５で係合アーム９１を挟んで固定している。
【００２１】
上台座３と下台座５は、上部スリット８ａと下部スリット８ｂを介して、ネジ留めされている。ネジを緩めて台座の位置を左右方向に調整することができる。これにより、上台座３のネジ孔に装着されたノブ付き固定ボルト１も動くので、例えば、係合アーム９１の傾斜面に押圧体４がかかるような場合、係合アーム９１の平坦な面に押圧体４を移動させることができる。取付板２の前面側には上部レール１０ａと下部レール１０ｂが形成されて、電子錠本体のスライド装着が可能である。
【００２２】
図２は本発明によるドアロック装置の取付金具が、内開きドアのドアガードに装着された場合の斜視図である。内開きドア２２の内側にドアガードの内開きドア用の係合突起９３が設けられている。ドアガードの係合アーム９１は、ドア受け２１に取り付けられている。取付金具７５は、内開きドア用の係合突起９３に取り付けられる。すなわち、取付板２と補助板６の間に内開きドア用の係合突起９３を差し込んで、ノブ付き固定ボルト１のノブ１１を回し、固定ボルト１の一端に装着された押圧体４を下降させて、押圧体４と下台座５で内開きドア用の係合突起９３を挟んで固定する。
【００２３】
引出円Ｃ１の中に示すように、取付板２には切り欠き部９があるので、湾曲した内開きドア用の係合突起９３に接触せずに、取付板２をドア２０の側に最大に押し込んで取り付けることができる。切り欠き部は内開きドア用の係合突起９３に固定する場合、取付板２の前後方向の位置調整を容易にする。引出円Ｃ１では、ノブ付き固定ボルト１が取り外された状態を示している。上台座３には固定ボルト１が装着されるネジ孔１４が設けられている。なお、図２には図示していないが、係合アーム９１には、停止金具（図５に示す）が取り付けられる。
【００２４】
図３は取付金具を後方から見た斜視図である。取付金具７５に固定される上台座３と下台座５は、補助板６で連結されている。ノブ付き固定ボルト１のノブ１１を回して、押圧体４を矢印で示すように上下させることができる。押圧体４は、上台座３と下台座５を結ぶガイド捧７で貫通されており、ノブ１１を回転させた時、押圧体４が回転しないようにしている。すなわち、押圧体４はノブ付き固定ボルト１の底部とゆるい連結となっていて、ノブ付き固定ボルト１が回転しても押圧体４は回転せず、上下方向にのみ動く連結となっている。
【００２５】
図４は、外開きドアにおいて本発明によるドアロック装置の電子錠本体が取付金具に装着された場合の斜視図である。ドアロック装置１００の構成要素である電子錠本体６０が、取付金具７５に装着されている。取付金具７５は、外開きドア２０の係合アーム９１に取り付けられている。電子錠本体６０は、取付板２の上部レール１０ａ、下部レール１０ｂに沿ってスライドして挿入される。ネジ１３ａ、１３ｂは、下部レール１０ｂに電子錠本体６０を固定するものである。上部レール１０ａ側にも同様のネジ（図示せず）がある。なお、電子錠本体６０と取付板２は連結されて提供されてもよい。
【００２６】
電子錠本体６０は、ロックボルト６９、ソレノイドで構成されるロックボルト駆動部６７、無線受信回路を含む制御部６８、バッテリ６６とを含んで構成される。表面側の操作盤には、手動によるロックボルト６９の施錠と解錠ができるスライドレバー６１、警報音を出すスピーカ６４、警報中の音を止める警報音オフスイッチ６２、窓やガラス戸などに設けられた開閉センサの有効／無効を決める開閉センサモードスイッチ６３、状態表示ランプ６５などが設けられる。バッテリ６６は、例えば、駆動時間の長いメタノールカートリッジを使用した燃料電池が望ましい。
【００２７】
図４において、ロックボルト６９が突出した状態（施錠状態）で外開きドア２０を外側に引くと、ロックボルト６９が外開きドア用の係合突起９２に当接するから、外開きドア２０を開くことができない。ロックボルト６９が引込んだ状態（解錠状態）で外開きドア２０を外側に引くと、ロックボルト６９が外開きドア用の係合突起９２に当接しないので、外開きドア２０を開くことができる。なお、係合アーム９１がドアに取り付けられていない場合に備えて、電子錠本体６０の内側底部には４箇所のネジ孔を設け、ネジでドア２０に直接電子錠本体６０を取り付けるようにしてもよい。
【００２８】
図５は、本発明によるドアロック装置の停止金具を示し、（ａ）は停止金具が内開きドア用の係合アームに取り付けられた斜視図である。（ｂ）は（ａ）の平面図である。図５（ａ）に示すように、停止金具８０は、コ字型板金部材８２にストッパボルト８３、脱落防止ボルト８１、回動抑止ボルト８８が設けられたものである。取付けは、コ字型板金部材８２をドアガードの係合アーム９１にかぶせるように装着する。そして、ストッパボルト８３を締めるだけで取付けができる。ストッパボルト８３の位置は、複数の挿入孔８６のどれを使用するかによって調整できる。すなわち、ストッパボルト８３の頭部が、電子錠本体６０のロックボルト６９の近接した位置とされる。回動抑止ボルト８８は、コ字型板金部材８２の上面のナット部８５にネジ着されており、一方に回すことによって係合アーム９１を動かないように固定できる。ナット部８５は、コ字型板金部材８２の上面が押し出し加工され内側にネジが切られたものである。
【００２９】
図５（ｂ）に示すように、脱落防止ボルト８１の先端には、係合アーム９１の先端内側に接する係止部８４が、回動可能に取り付けられている。脱落防止ボルト８１は、コ字型板金部材８２の背面が押し出し加工され、内側にネジが切られたナット部８５にネジ着される。そのため、ロックボルト６９がストッパボルト８３の頭部にぶつかった時、停止金具８０が係合アーム９１から外れることがないようにできる。停止金具８０は、まず係止部８４を係合アーム９１の内側に入れ、次に、コ字型板金部材８２を時計回りに回すことで係合アーム９１にかぶせることができる。コ字型板金部材８２には、挿入孔８６に対応したネジ孔８７にネジが切られているので、ストッパボルト８３をネジ孔８７にネジ着することによって、停止金具８０を係合アーム９１に固定する。
【００３０】
なお、図２の内開きドア２２において、取付金具７５に電子錠本体６０が取り付けられた構成は図示していない。ただし、図２の構成に、図４の電子錠本体６０を搭載した形の図となる。その場合、内開きドア２２は、図１０に示すように動く。そのため、ロックボルト６９が突出した状態（施錠状態）で、内開きドア２２が外から室内側に押されると、ロックボルト６９が係合アーム９１に取り付けられた停止金具８０のストッパボルト８３に当接する。そのため、内開きドア２２は開くことができない。ロックボルト６９が引込んだ状態（解錠状態）で内開きドア２２が外から室内側に押されると、ロックボルト６９がストッパボルト８３に当接しないので、内開きドア２２を開くことができる。すなわち、ストッパボルト８３とロックボルト６９は、このような位置関係となるように配置される。
【００３１】
図６は、ドアロック装置が設けられたアパート、マンションまたは戸建の部屋の模式図である。ドアロック装置１００は、部屋３０のドアに設けられた主錠４６と併設される。リモコンキー７０は、無線によって電子錠本体６０の制御部６８に施錠または解錠の指示を出すことができる。この信号を、アンテナを含む受信回路で受信した制御部６８は、指示に従ってロックボルト６９を駆動して施錠または解錠を行なう。
【００３２】
火災センサには、部屋３０の天井に設けられた熱センサ４２、煙センサ４３、ガスセンサ４４がある。制御部６８は、火災センサから発せられた感知信号を受信した場合、解錠を行なう。熱センサは、例えば設定の温度を超えると火災と判断するものでよい。煙センサは煙粒子により電離電流が減少することを利用したものでよい。ガスセンサ４４は、例えば空気より軽い都市ガスを感知するものとすることができる。地震センサ４５は、例えば震度５強以上の地震を感知すると感知信号を無線で発信するものでよい。制御部６８は、地震の感知信号で解錠を行なう。また、別の場所に設けられた端末、例えば携帯電話にメールや音声で通報することができる。
【００３３】
部屋３０の窓またはガラス戸３１には、ガラス破壊センサ４０、開閉センサ４１を設けることができる。ガラス破壊センサ４０は、ガラスが破壊された時の超音波を感知して感知信号を発信する。開閉センサ４１は窓またはガラス戸３１の開閉を感知して感知信号を発信する。制御部６８は、これらの感知信号を受けた場合、スピーカ６４によって警報音を出す。このような警報は、センサが個別にスピーカを持つ必要がない。また、別の場所に設けられた端末、例えば携帯電話にメールや音声で通報することができる。
【００３４】
生体認証装置５０は、玄関の外側に設けられ、指紋、静脈、顔、虹彩等のデータをあらかじめ登録しておいたデータと照合して認証を与える装置である。例えば、静脈認証の場合、静脈を流れる血液中のヘモグロビンは、近赤外線を吸収する性質があるので、近赤外線を指に照射して静脈パターンを撮像する。制御部６８は、生体認証装置５０から発せられた認証信号を受信して、解錠を行なう。指で本人認証を行なうので、リコンキーを携帯する必要がなく、紛失や盗難の心配がない。つまり、リモコンキー７０に替わる装置として好適である。なお、ドアロック装置１００は、オートロックドアとして制御されるものとした。従って、ドアは通常、施錠された状態にあるので、生体認証装置５０の認証信号（本人確認信号）で解錠される。
【００３５】
図７は本発明によるドアロック装置の施錠、解錠、警報、通報の条件をまとめた構成図である。熱センサ４２、煙センサ４３、ガスセンサ４４の火災センサ並びに地震センサ４５からの感知信号で、解錠と警報と通報を行なう。リモコンキー７０のオフ指示、生体認証装置５０の認証信号、操作盤のオフ指示で、解錠を行なう。リモコンキー７０のオン指示、操作盤のオン指示で、施錠を行なう。ガラス破壊センサ４０、開閉センサ４１の通知でスピーカから警報を出し、通報を行なう。なお、リモコンキー７０のあるシステムでは、ドアロック装置は指示された施錠または解錠の状態となり、生体認証装置が導入された場合はオートロック制御されるとした。
【産業上の利用可能性】
【００３６】
本発明によるドアロック装置は、小型軽量でノブ付き固定ボルトを回して簡単に取り外せるから、携帯用のドアロック装置としても好適である。例えば、宿泊先のホテル等においてドアを二重に施錠することができる。
【図面の簡単な説明】
【００３７】
【図１】本発明によるドアロック装置の取付金具が、外開きドアのドアガードに装着された場合の斜視図である。（実施例１）
【図２】本発明によるドアロック装置の取付金具が、内開きドアのドアガードに装着された場合の斜視図である。（実施例１）
【図３】図１の取付金具を後方から見た斜視図である。（実施例１）
【図４】本発明によるドアロック装置の電子錠本体が取付金具に装着された場合の斜視図である。（実施例１）
【図５】本発明によるドアロック装置の停止金具を示し、（ａ）は停止金具が内開きドア用の係合アームに取り付けられた斜視図である。（ｂ）は（ａ）の平面図である。
【図６】本発明によるドアロック装置が設けられたアパート、マンションまたは戸建の部屋の模式図である。（実施例１）
【図７】本発明によるドアロック装置の施錠、解錠、警報、通報の条件をまとめた構成図である。（実施例１）
【図８】一般的なドアガードの部品構成を示す斜視図である。
【図９】一般的なドアガードが取り付けられた外開きドアの平面図である。
【図１０】一般的なドアガードが取り付けられた内開きドアの平面図である。
【符号の説明】
【００３８】
１    ノブ付き固定ボルト
２    取付板
３    上台座
４    押圧体
５    下台座
６    補助板
７    ガイド捧
８ａ    上部スリット
８ｂ    下部スリット
９    切り欠き部
１０ａ    上部レール
１０ｂ    下部レール
１１    ノブ
１３ａ、１３ｂ    ネジ
１４    ネジ孔
２０    外開きドア
２１    ドア受け
２２    内開きドア
３０    アパート、マンションまたは戸建の部屋
３１    窓またはガラス戸
４０    ガラス破壊センサ
４１    開閉センサ
４２    火災センサ（熱センサ）
４３    煙センサ
４４    ガスセンサ
４５    地震センサ
４６    主錠
５０    生体認証装置
６０    電子錠本体
６１    スライドレバー
６２    警報音オフスイッチ
６３    開閉センサモードスイッチ
６４    スピーカ
６５    表示ランプ
６６    バッテリ
６７    ロックボルト駆動部
６８    制御部
６９    ロックボルト
７０    リモコンキー
７５    取付金具
８０    停止金具
８１    脱落防止ボルト
８２    コ字型板金部材
８３    ストッパボルト
８４    係止部
８５    ナット部
８６    挿入孔
８７    ネジ孔
８８    回動抑止ボルト
９０    ドアガード
９１    係合アーム
９２    外開きドア用の係合突起
９３    内開きドア用の係合突起
１００    ドアロック装置
【図１】
2007284975.tif 000003
【図２】
2007284975.tif 000004
【図３】
2007284975.tif 000005
【図４】
2007284975.tif 000006
【図５】
2007284975.tif 000007
【図６】
2007284975.tif 000008
【図７】
2007284975.tif 000009
【図８】
2007284975.tif 000010
【図９】
2007284975.tif 000011
【図１０】
2007284975.tif 000012